(57)【要約】  携帯情報端末を保持しているユーザーが近傍にある視聴装置で、配信或いは放送される貸出し希望のコンテンツを視聴する際に、使い勝手の良い視聴環境を提供する。コンテンツを配信するコンテンツ配信サーバと、携帯情報端末と、コンテンツを再生する視聴装置とを含む視聴システムを用いたコンテンツ視聴方法である。
2018225209.tif 000002
【特許請求の範囲】
【請求項１】
コンテンツを配信するコンテンツ配信サーバと、携帯情報端末と、コンテンツを再生する視聴装置とを含む視聴システムを用いたコンテンツ視聴方法であって、  前記携帯情報端末が、ユーザー識別情報とユーザーパスワードを前記コンテンツ配信サーバに送信する、第１のステップ、  前記コンテンツ配信サーバが、受信した前記ユーザー識別情報と前記ユーザーパスワードに基づいて前記携帯情報端末を認証する、第２のステップ、  前記携帯情報端末が、希望コンテンツを再生するためのアカウントを要求するアカウント発行要求を前記コンテンツ配信サーバに送信する、第３のステップ、  前記コンテンツ配信サーバが、受信した前記アカウント発行要求に基づいてアカウントを発行し、発行した前記アカウントを前記携帯情報端末に送信する、第４のステップ、  前記携帯情報端末が、受信した前記アカウントを記憶する、第５のステップ、  前記携帯情報端末が、記憶した前記アカウントを近距離無線通信で送信する、第６のステップ、  前記視聴装置が、前記近距離無線通信で受信した前記アカウントを記憶する、第７のステップ、  前記視聴装置が、記憶した前記アカウントを用いて前記希望コンテンツの再生を行う、第８のステップ、  を実行するコンテンツ視聴方法。
【請求項２】
前記コンテンツ配信サーバと、前記携帯情報端末と、前記視聴装置とがネットワークで接続されており、  前記第８のステップは、  前記視聴装置が、前記ネットワーク経由で前記アカウントを前記コンテンツ配信サーバに送信して視聴要求を行い、当該視聴要求に応じて前記コンテンツ配信サーバが送信する前記希望コンテンツを受信して再生を行うものである、  請求項１記載のコンテンツ視聴方法。
【請求項３】
前記第６のステップは、  前記携帯情報端末が、記憶した前記アカウントを継続的に近距離無線通信で送信するものであり、  前記視聴装置が、前記第８のステップを実行中に、継続的に送信される前記アカウントの受信が途切れた場合、前記ネットワーク経由で前記コンテンツ配信サーバに視聴停止要求を行い、当該視聴停止要求に応じて前記コンテンツ配信サーバが前記希望コンテンツの送信を停止することにより、前記希望コンテンツの再生を中断する、第９のステップを実行する、  請求項２記載のコンテンツ視聴方法。
【請求項４】
前記視聴装置が、継続的に送信される前記アカウントの受信が途切れ、前記第９のステップを実行した後、前記アカウントの受信が再開された場合、前記ネットワーク経由で前記アカウントを前記コンテンツ配信サーバに送信して視聴要求を行い、当該視聴要求に応じて前記コンテンツ配信サーバが送信する前記希望コンテンツを受信して、前記中断された希望コンテンツの再生を再開する、第１０のステップを実行する、  請求項３記載のコンテンツ視聴方法。
【請求項５】
前記視聴装置とは別の第２の視聴装置を用い、前記視聴装置が、前記第９のステップを実行した後、  前記携帯情報端末が、記憶した前記アカウントを前記近距離無線通信で送信する、第１１のステップ、  前記第２の視聴装置が、前記近距離無線通信で受信した前記アカウントを記憶する、第１２のステップ、  前記第２の視聴装置が、前記ネットワーク経由で前記アカウントを前記コンテンツ配信サーバに送信して視聴要求を行い、当該視聴要求に応じて前記コンテンツ配信サーバが送信する前記希望コンテンツを受信して前記中断された希望コンテンツの再生を再開する、第１３のステップを実行する、  請求項３記載のコンテンツ視聴方法。
【請求項６】
前記第９のステップは、さらに、  前記視聴装置が、継続的に送信される前記アカウントの受信が途切れた場合、前記希望コンテンツの視聴中断位置あるいは視聴中断時間を示す視聴中断情報を、前記携帯情報端末に送信し、前記携帯情報端末は前記視聴中断情報を記憶し、  前記第１１のステップは、さらに、  前記携帯情報端末が、記憶した前記視聴中断情報を前記第２の視聴装置に前記近距離無線通信で送信し、  前記第１３のステップは、さらに、  前記第２の視聴装置が、受信した前記視聴中断情報をもとに、前記中断された希望コンテンツの再生を、前記視聴中断位置あるいは視聴中断時間から再開する、  請求項５記載のコンテンツ視聴方法。
【請求項７】
前記携帯情報端末は、ユーザーの操作により、記憶した前記アカウントを前記近距離無線通信で送信開始あるいは送信停止を行う、  請求項３記載のコンテンツ視聴方法。
【請求項８】
前記コンテンツ配信サーバと、前記携帯情報端末とがネットワークで接続されており、前記コンテンツ配信サーバから前記視聴装置へ前記コンテンツが暗号化されて無線放送され、  前記アカウントには、無線放送される前記コンテンツの暗号解除のためのキー情報を含み、  前記第８のステップは、  前記視聴装置が、前記コンテンツ配信サーバから無線放送される前記希望コンテンツを受信して、前記キー情報を用いて前記希望コンテンツの暗号解除を行って、前記希望コンテンツの再生を行うものである、  請求項１記載のコンテンツ視聴方法。
【請求項９】
前記第８のステップは、  前記視聴装置が、前記コンテンツ配信サーバから前記希望コンテンツの暗号解除を行うスクランブルキーを含んで暗号化されている関連情報を受信して、前記キー情報により前記関連情報の暗号解除を行い、前記関連情報の暗号解除により取り出された前記スクランブルキーを用いて前記希望コンテンツの暗号解除を行って、前記希望コンテンツの再生を行うものである、  請求項８記載のコンテンツ視聴方法。
【請求項１０】
前記関連情報は、前記希望コンテンツの暗号解除に必要な第1、第２のキーを各々含んで暗号化されている第1、第２の関連情報からなり、  前記視聴装置は、前記キー情報により前記第１の関連情報の暗号解除を行い、前記第１の関連情報の暗号解除により取り出された前記第１のキーを用いて前記第２の関連情報の暗号解除を行い、前記第２の関連情報の暗号解除により取り出された前記第２のキーを用いて、前記希望コンテンツの暗号解除を行って、前記希望コンテンツの再生を行うものである、  請求項９記載のコンテンツ視聴方法。
【請求項１１】
前記コンテンツ配信サーバと、前記携帯情報端末とがネットワークで接続されており、前記コンテンツ配信サーバから第２の視聴装置として使用される前記視聴装置、および前記視聴装置とは異なる第１の視聴装置へ前記コンテンツが暗号化されて無線放送され、  前記無線放送は、前記コンテンツとともに、前記コンテンツの暗号解除に必要な第１のキーを含んで暗号化されている第１の関連情報、および、第２のキーを含んで暗号化されている第２の関連情報を送出するものであり、  前記第１の視聴装置および前記第２の視聴装置は、各々装着される第１のデバイスおよび第２のデバイスを利用可能であり、  前記第１のデバイスは、前記ユーザー識別情報と紐付きされている第１のＩＤ及び前記第１のデバイスに固有の第１のマスターキーを記憶しており、  前記コンテンツ配信サーバは、前記第１のＩＤ及び前記第１のマスターキーを予め記憶しており、  前記第４のステップは、  前記コンテンツ配信サーバが、受信した前記アカウント発行要求に基づいて前記第１のＩＤ及び前記第１のマスターキーを前記アカウントとして発行し、発行した前記アカウントを前記携帯情報端末に送信するものであり、  前記第５のステップは、  前記携帯情報端末が、前記アカウントとして前記第１のＩＤ及び前記第１のマスターキーを記憶するものであり、  前記第６のステップは、  前記携帯情報端末が、前記アカウントとして前記第１のＩＤ及び前記第１のマスターキーを近距離無線通信で送信するものであり、  前記第７のステップは、  前記第２の視聴装置が、前記アカウントとして前記第１のＩＤ及び前記第１のマスターキーを記憶するものであり、  前記第８のステップは、  前記第２の視聴装置が、前記アカウントに含まれる前記第１のマスターキーにより前記第１の関連情報の暗号解除を行い、前記第１の関連情報の暗号解除により取り出された前記第１のキーを用いて前記第２の関連情報の暗号解除を行い、前記第２の関連情報の暗号解除により取り出された前記第２のキーを用いて前記コンテンツの暗号解除を行い、前記コンテンツの再生を可能にするものである、  請求項１記載のコンテンツ視聴方法。
【請求項１２】
コンテンツを配信するコンテンツ配信サーバと、携帯情報端末と、コンテンツを再生する視聴装置とを含む視聴システムを用いたコンテンツ視聴方法、に用いる前記携帯情報端末であって、  制御部と、メモリ部と、前記コンテンツ配信サーバと通信するための第１の通信部と、前記視聴装置と通信するための前記第１の通信部よりも通信距離の短い第２の通信部と、入力部を備え、  前記メモリ部は、ユーザー識別情報とユーザーパスワードを格納し、  前記制御部は、前記第１の通信部により、前記ユーザー識別情報と前記ユーザーパスワードを前記コンテンツ配信サーバに送信し、  前記制御部は、前記第１の通信部により、希望コンテンツを再生するためのアカウントを要求するアカウント発行要求を前記コンテンツ配信サーバに送信し、  前記制御部は、前記第１の通信部により、前記コンテンツ配信サーバから受信した前記アカウントを前記メモリ部に記憶し、  前記制御部は、前記第２の通信部により、前記アカウントを連続的あるいは周期的に送信する、  携帯情報端末。
【請求項１３】
前記第２の通信部による前記アカウントの連続的あるいは周期的な送信は、前記入力部を介したユーザーの操作により、開始、継続、中断、および再開の少なくとも一つが可能とされる、  請求項１２記載の携帯情報端末。
【請求項１４】
前記制御部は、前記第２の通信部により、前記視聴装置から前記希望コンテンツの視聴中断位置あるいは視聴中断時間を示す視聴中断情報を受信すると、前記視聴中断情報を前記メモリ部に記憶する、  請求項１２記載の携帯情報端末。
【請求項１５】
前記コンテンツ配信サーバから配信されるコンテンツは、暗号化された上で放送設備を介して第１の視聴装置および第２の視聴装置に放送され、前記第１の視聴装置および前記第２の視聴装置は、其々が記憶している第１のキー情報および第２のキー情報を用いて、其々が前記コンテンツを復号するものであり、  前記制御部は、前記第１の通信部により、前記コンテンツ配信サーバから、第１の視聴装置に記憶されている前記第１のキー情報と同じ情報を受信して前記アカウントとして前記メモリ部に記憶し、  前記制御部は、前記第２の通信部により、前記アカウントを連続的あるいは周期的に送信することにより、前記第１のキー情報を前記第２の視聴装置に送信する、  請求項１２記載の携帯情報端末。
【発明の詳細な説明】
【技術分野】
【０００１】  本発明は、ネットワークに接続された視聴装置にコンテンツを配信するコンテンツ配信システム、放送波を受信する視聴装置でコンテンツを視聴するコンテンツ視聴システムに関する。
【背景技術】
【０００２】  従来、インターネットを介して接続されたコンテンツ配信サーバから配信されるコンテンツや地上放送或いは放送衛星から送信されるコンテンツには、コンテンツの著作権を保護するためその利用や複製を制御・制限するＤＲＭ（Digital Right Management）技術が用いられている。このＤＲＭ技術の仕組みは、配信或いは放送されるコンテンツに対し、コンテンツとは別に、コンテンツを受信する視聴装置に固有の情報を暗号化の鍵（キー）として、暗号化されているコンテンツを復号して復元再生するものである。【０００３】  これによって、配信或いは放送受信されたコンテンツが異なる他の視聴装置に供給されても、異なる他の視聴装置は、コンテンツの暗号を解除し復号化する固有の情報を持たないため、コンテンツを復号できず、コンテンツの視聴や複製を防止することができた。なお、視聴装置に固有の情報である鍵（キー）によりその視聴装置にのみでコンテンツの復号を行う方法としては、視聴装置で読み出した視聴装置の識別番号（ユーザーＩＤ）との照合により再生する方法や、視聴装置の識別番号（ユーザーＩＤ）を暗号キーとして暗号化されたコンテンツの復号を行う方法や、視聴装置の鍵（キー）で解いた情報から第1の別の鍵（キー）を取り出し、取り出した第1の別の鍵（キー）で更に第２の別の鍵（キー）を取り出し、第２の別の鍵（キー）で暗号化されたコンテンツを復号するような暗号多重化の方法がある。【０００４】  更には、このＤＲＭ技術の仕組みを利用し、著作権を保護しつつ、コンテンツを他の視聴装置に貸出して配信することを可能にするコンテンツ配信システムが提案されている。一例として、特許文献１には、借主のコンテンツ受信装置が、貸主が保持するコンテンツと同一のコンテンツを、コンテンツ配信装置から取得して記憶しておけば、借主のコンテンツ受信装置のコンテンツ再生手段は、貸出し認証情報に基づいてコンテンツ記憶手段により記憶されるコンテンツを再生するので、このコンテンツの貸出しを自由に行うことができる、と記載されている。
【先行技術文献】
【特許文献】
【０００５】
【特許文献１】特開２００７−１４０９６０号公報
【発明の概要】
【発明が解決しようとする課題】
【０００６】  しかしながら、特許文献１では、例えば、ユーザーが、認証情報送信装置の一例として持ち運びやすく使いやすい携帯情報端末を保持しつつ、視聴希望の視聴装置で視聴できる範囲内に位置して、貸出し希望のコンテンツを簡単な操作で視聴することについては特に示唆がない。また、何らかの事情により携帯情報端末を保持しているユーザーが視聴装置から離れてしまった場合、視聴装置では貸出しされたコンテンツを再生したままの状態であり、ユーザーが貸出しコンテンツを見落としてしまうなど、ユーザーが貸出しコンテンツを視聴利用する状態・状況について対応できる構成を開示するものではない。【０００７】  また、電波を用いて放送されるコンテンツを視聴希望の他の視聴装置で、コンテンツの著作権を保護しつつ、貸出し視聴する点については何ら示されてない。【０００８】  そこで、携帯情報端末を保持しているユーザーが近傍にある視聴装置で、配信或いは放送される貸出し希望のコンテンツを視聴する際に、使い勝手の良い視聴環境が得られるコンテンツ配信システム、コンテンツ視聴システムを提供することが望まれる。
【課題を解決するための手段】
【０００９】  本発明の一側面は、コンテンツを配信するコンテンツ配信サーバと、携帯情報端末と、コンテンツを再生する視聴装置とを含む視聴システムを用いたコンテンツ視聴方法である。この方法では、携帯情報端末が、ユーザー識別情報とユーザーパスワードをコンテンツ配信サーバに送信する、第１のステップ、コンテンツ配信サーバが、受信したユーザー識別情報とユーザーパスワードに基づいて携帯情報端末を認証する、第２のステップ、携帯情報端末が、希望コンテンツを再生するためのアカウントを要求するアカウント発行要求をコンテンツ配信サーバに送信する、第３のステップ、コンテンツ配信サーバが、受信したアカウント発行要求に基づいてアカウントを発行し、発行したアカウントを携帯情報端末に送信する、第４のステップ、携帯情報端末が、受信したアカウントを記憶する、第５のステップ、携帯情報端末が、記憶したアカウントを近距離無線通信で送信する、第６のステップ、視聴装置が、近距離無線通信で受信したアカウントを記憶する、第７のステップ、視聴装置が、記憶したアカウントを用いて希望コンテンツの再生を行う、第８のステップ、を実行する。【００１０】  本発明の他の一側面は、コンテンツを配信するコンテンツ配信サーバと、携帯情報端末と、コンテンツを再生する視聴装置とを含む視聴システムを用いたコンテンツ視聴方法、に用いる携帯情報端末である。この携帯情報端末は、制御部と、メモリ部と、コンテンツ配信サーバと通信するための第１の通信部と、視聴装置と通信するための第１の通信部よりも通信距離の短い第２の通信部と、入力部を備える。メモリ部は、ユーザー識別情報とユーザーパスワードを格納する。制御部は、第１の通信部により、ユーザー識別情報とユーザーパスワードをコンテンツ配信サーバに送信する。また、制御部は、第１の通信部により、希望コンテンツを再生するためのアカウントを要求するアカウント発行要求をコンテンツ配信サーバに送信し、第１の通信部により、コンテンツ配信サーバから受信したアカウントをメモリ部に記憶する。また、制御部は、第２の通信部により、アカウントを連続的あるいは周期的に送信する。
【発明の効果】
【００１１】  携帯情報端末を保持しているユーザーが近傍にある視聴装置で、配信或いは放送される貸出し希望のコンテンツを視聴する際に、使い勝手の良い視聴環境が得られる。上記した以外の課題、構成および効果は、以下の実施形態の説明により明らかにされる。
【図面の簡単な説明】
【００１２】
【図１】コンテンツ配信システムの構成例を示すブロック図である。
【図２Ａ】図１に示したコンテンツ配信システムの動作シーケンス例の前半を示す図である。
【図２Ｂ】図１に示したコンテンツ配信システムの動作シーケンス例の後半を示す図である。
【図３】図１に示したコンテンツ配信システムの操作入力部の操作処理例を説明する図である。
【図４】コンテンツ配信システムの動作例を説明する図である。
【図５】図１に示したコンテンツ配信システムの他の動作シーケンス例を示す図である。
【図６】コンテンツ視聴システムの構成例を示すブロック図である。
【図７Ａ】図６に示したコンテンツ視聴システムの動作シーケンス例の前半を示す図である。
【図７Ｂ】図６に示したコンテンツ視聴システムの動作シーケンス例の後半を示す図である。
【図８】コンテンツ視聴システムの他の構成例を示すブロック図である。
【図９Ａ】図８に示したコンテンツ視聴システムの動作シーケンス例の前半を示す図である。
【図９Ｂ】図６に示したコンテンツ視聴システムの動作シーケンス例の後半を示す図である。
【発明を実施するための形態】
【００１３】  以下、本発明の実施形態の例を、図面を用いて説明する。以下に説明する発明の構成において、同一部分又は同様な機能を有する部分には同一の符号を異なる図面間で共通して用い、重複する説明は省略することがある。
【００１４】  本明細書等における「第１」、「第２」、「第３」などの表記は、構成要素を識別するために付するものであり、必ずしも、数、順序、もしくはその内容を限定するものではない。また、構成要素の識別のための番号は文脈毎に用いられ、一つの文脈で用いた番号が、他の文脈で必ずしも同一の構成を示すとは限らない。また、ある番号で識別された構成要素が、他の番号で識別された構成要素の機能を兼ねることを妨げるものではない。
【００１５】  実施例で説明される技術の概要を冒頭に説明する。実施例の一つは、コンテンツ配信サーバと、携帯情報端末と、視聴装置と、がネットワークで接続されたコンテンツ配信システムである。携帯情報端末は、ユーザー識別情報とユーザーパスワードをコンテンツ配信サーバに送信し、コンテンツ配信サーバは、受信したユーザー識別情報とユーザーパスワードに基づいて携帯情報端末を認証する。携帯情報端末は、視聴希望のコンテンツ番組を識別するコンテンツ識別情報とアカウント発行要求をコンテンツ配信サーバに送信し、コンテンツ配信サーバは、受信したコンテンツ識別情報とアカウント発行要求に基づいてコンテンツ識別情報を含むアカウントを発行し、発行したアカウントを携帯情報端末に送信する。携帯情報端末は、受信したアカウントを視聴装置に近接無線通信で送信し、視聴装置は、受信したアカウントとともにコンテンツ番組の視聴要求をコンテンツ配信サーバに送信し、コンテンツ配信サーバは、視聴要求に対し、アカウントに基づいて、視聴装置にコンテンツ番組の配信を行う。視聴装置は、配信されたコンテンツ番組の視聴を可能にすることを特徴とするコンテンツ配信システムである。また、このシステムの応用形態では、視聴装置は、携帯情報端末は、アカウントを近接無線通信で継続的に送信し、携帯情報端末から送信されたアカウントの受信が途切れた場合にコンテンツの視聴を中断する。
【００１６】  他の実施例は、コンテンツ番組配信サーバを有する放送側設備と携帯情報端末と視聴装置とを用いて構成されるコンテンツ視聴システムである。携帯情報端末は、ユーザー識別情報とユーザーパスワードをコンテンツ配信サーバに送信し、コンテンツ配信サーバは、受信したユーザー識別情報とユーザーパスワードに基づいて携帯情報端末を認証する。携帯情報端末は、視聴希望の放送コンテンツ番組或いは放送チャンネルを識別するコンテンツ識別情報とアカウント発行要求をコンテンツ配信サーバに送信し、コンテンツ配信サーバは、受信したコンテンツ識別情報とアカウント発行要求に基づいて、放送コンテンツ番組或いは放送チャンネルの暗号解除に必要なキー情報を含むアカウントを発行し、発行したアカウントを携帯情報端末に送信する。携帯情報端末は、受信したアカウントを視聴装置に近接無線通信で送信し、放送側設備は、放送コンテンツ番組或いは放送チャンネルと、放送コンテンツ番組或いは放送チャンネルの暗号解除を行うスクランブルキーを含んで暗号化されている関連情報とを送出する。視聴装置は、携帯情報端末から受信しアカウントに含まれるキー情報により関連情報の暗号解除を行い、関連情報の暗号解除により取り出されたスクランブルキーを用いて、放送コンテンツ番組或いは放送チャンネルの暗号解除を行い、放送コンテンツ番組或いは放送チャンネルの視聴を可能にすること。
【００１７】  上記でコンテンツ番組と称するものは、必ずしも一つの番組単位である必要はなく、一つのチャンネル単位、あるいは、一つのカテゴリあるいはグループの単位であってもよい。実施例に記載される技術によると、ユーザーは携帯情報端末に視聴のためのアカウントを取得することができ、必要に応じて画像や音声を出力する機能を有する視聴装置にアカウントを移植し、その視聴装置でのコンテンツを可能とする。また、携帯情報端末と視聴装置は、アカウントの継続的な受信確認を通じて、近接する位置に存在することを検知し、コンテンツ再生の中断、再開を制御することができる。ここで継続的とは、受信側での連続的な受信および所定の周期での受信の双方を含む概念である。また、送信側も連続的な送信および所定の周期での送信のいずれかを行えばよい。以下詳細に説明する。
【実施例１】
【００１８】  （１．全体構成）  図１は、本実施形態に係るコンテンツ配信システムの一実施例を示すブロック構成図である。図１の実施例は、携帯情報端末１０、コンテンツ配信サーバ２０、視聴装置３０、基地局４０、外部ネットワーク５０を適宜用いて構成される。【００１９】  携帯情報端末１０は、Ｗ−ＣＤＭＡ（Wideband  Code  Division  Multiple  Access）やＧＳＭ（登録商標）（Global  System  for  Mobile  communications）などの遠距離無線通信により基地局４０と交信し、外部ネットワーク５０を経由して、コンテンツ配信サーバ２０に、携帯情報端末１０で設定入力し保存されているユーザー識別情報１０２ａ及びユーザーパスワード１０２ｂを送信する。【００２０】  コンテンツ配信サーバ２０は、受信したユーザー識別情報１０２ａ及びユーザーパスワード１０２ｂと、予めユーザーとして登録されているユーザー識別情報２０６ａ及びユーザーパスワード２０６ｂとを照合して、携帯情報端末１０をユーザーとして認証する。また、コンテンツ配信サーバ２０は、ユーザー認証結果に基づき、有料契約等で予め登録済である貸出し視聴希望コンテンツ番組の識別情報を含み、貸出しを可能にする情報であるアカウントを発行し、携帯情報端末１０に送信する。【００２１】  携帯情報端末１０は、受信したアカウントを無線タグなどの近距離無線通信により視聴装置３０に向けて送信する。ここで、携帯情報端末１０を保持しているユーザーが、視聴希望の視聴装置３０で視聴可能な範囲内まで近づいた場合、視聴装置３０はアカウントを受信する。また、視聴装置３０は、受信したアカウントを、外部ネットワーク５０を介してコンテンツ配信サーバ２０に送信し、コンテンツ配信サーバ２０から貸出し視聴希望のコンテンツ番組を受信する。【００２２】  次に、携帯情報端末１０、コンテンツ配信サーバ２０、視聴装置３０の各構成について説明する。【００２３】  （２.携帯情報端末の構成）  携帯情報端末１０は、制御部１０１、メモリ部１０２、基地局通信部１０３、マイクやスピーカを含む音声入出力処理部１０４、近距離無線通信部１０５、操作入力部１０６、表示部１０７、を適宜用いて構成され、各構成部はそれぞれバス１００を介して相互に接続されている。【００２４】  制御部１０１は、ＣＰＵ（Central  Processing  Unit）等で構成され、メモリ部１０２に記憶したプログラムを実行することによって、各構成部を制御し、各種の処理を行っている。メモリ部１０２は、フラッシュメモリなどであり、制御部１０１が使用する各種プログラムや、操作入力部１０６で設定入力されるユーザー識別情報１０２ａ、ユーザーパスワード１０２ｂ、コンテンツ識別情報１０２ｃ、更にはコンテンツ配信サーバ２０から受信したアカウント１０２ｄなどのデータを記憶している。【００２５】  基地局通信部１０３は、Ｗ−ＣＤＭＡやＧＳＭなどの基地局４０と遠距離の無線通信を行う通信インターフェースである。これにより基地局４０を介して外部ネットワーク５０に接続し、ユーザー識別情報１０２ａ、ユーザーパスワード１０２ｂ、コンテンツ識別情報１０２ｃ、アカウント１０２ｄなどの情報の送受信を行う。【００２６】  操作入力部１０６は、例えば静電容量式などのタッチパッド方式の入力手段であ��、指やタッチペンなどによる接近又は接触操作（以降、タッチという）を操作入力として検出するものである。携帯情報端末１０を保有しているユーザーは、携帯情報端末１０がコンテンツ配信サーバ２０にユーザーとして予め登録済であることの認証を得るため、操作入力部１０６より、ユーザー識別情報１０２ａ、ユーザーパスワード１０２ｂを設定入力できる。また、貸出し視聴希望のコンテンツ番組をメニュー選択などにより設定入力できる。表示部１０７は液晶パネルなど映像や画像を表示するものであり、その表示面に操作入力部１０６を有する。【００２７】  音声入出力処理部１０４は、外部の音声を入力するマイクや外部に対して音声を出力するスピーカを含め、入出力される音声の処理を行っている。【００２８】  近距離無線通信部１０５は、制御部１０１に制御されて、近距離無線通信が可能な範囲にある視聴装置３０と近距離無線通信で情報データの送受信を行う。即ち、携帯情報端末１０から送信される、コンテンツ識別情報を含むアカウント１０２ｄを視聴装置３０に送信する。【００２９】  なお、近距離無線通信部１０５は、本実施の形態においては、電子タグを用いて行われるが、これに限定されず、携帯情報端末１０が視聴装置３０の近くにある場合に少なくとも無線通信可能であるものであれば、Ｂｌｕｅｔｏｏｔｈ（登録商標）、ＩｒＤＡ（Infrared Data Association）、Ｚｉｇｂｅｅ（登録商標）、ＨｏｍｅＲＦ（Home Radio Frequency、登録商標）、または、無線ＬＡＮ（IEEE802.11a、IEEE802.11b、IEEE802.11g）を用いて行なわれるようにしてもよい。本実施例で近距離とは、コンテンツの視聴時におけるユーザーと視聴装置の距離を想定しており、携帯電話用の通信システム等と対比する概念である。例えば２０ｍ程度以下の距離を想定している。【００３０】  （３．コンテンツ配信サーバの構成）  コンテンツ配信サーバ２０は、制御部２０１、メモリ部２０２、通信部２０３、ストレージ２０４を適宜用いて構成され、それぞれはバス２００で相互に接続されている。【００３１】  制御部２０１は、ＣＰＵ等で構成され、メモリ部２０２に記憶したプログラムを実行することによって、各構成部を制御し、各種の処理を行っている。【００３２】  通信部２０３は、外部ネットワーク５０と接続するためのインターフェースであり、基地局４０を介してネットワーク接続に対応した携帯情報端末１０からユーザー識別情報１０２ａ、ユーザーパスワード１０２ｂ、コンテンツ識別情報１０２ｃを受信するとともに、コンテンツ配信サーバ２０で発行するアカウント２０６ｃを携帯情報端末１０に送信する。また、通信部２０３は、外部ネットワーク５０を介して視聴装置３０からアカウント３０２ａを受信するとともに、ストレージ２０４内のコンテンツ情報蓄積領域２０５に蓄積されたコンテンツ番組を視聴装置３０に送出する。【００３３】  ストレージ２０４は、コンテンツ番組本体、コンテンツ識別情報、更にはコンテンツ番組の有料/無料等のコンテンツ付随情報などを記憶するコンテンツ情報蓄積領域２０５と、予めユーザーとして登録されているユーザー識別情報２０６ａ及びユーザーパスワード２０６ｂ、新たに発行するアカウント２０６ｃなどを記憶するユーザー情報蓄積領域２０６とを有する。【００３４】  コンテンツ配信サーバ２０では、これらの構成より、携帯情報端末１０からのユーザー識別情報１０２ａ、ユーザーパスワード１０２ｂと、登録済のユーザー識別情報２０６ａ及びユーザーパスワード２０６ｂとを照合する。これらが一致する場合、携帯ユーザーとして携帯情報端末１０の認証を行い、視聴希望コンテンツ番組の配信を可能にするアカウント２０６ｃを発行し、ユーザー情報蓄積領域２０６に記録するとともに、通信部２０３を介して携帯情報端末１０に送信する。【００３５】  一方、コンテンツ配信サーバ２０は、通信部２０３を介して視聴装置３０からのアカウント３０２ａを受信した場合には、アカウント３０２ａに含まれているコンテンツ識別情報に基づいたコンテンツ番組をコンテンツ情報蓄積領域２０５から取り出し、通信部２０３、外部ネットワーク５０を経由して、視聴装置３０に配信する。【００３６】  （４．視聴装置の構成）  視聴装置３０は、制御部３０１、メモリ部３０２、ストレージ部３０３、近距離無線通信部３０４、表示部３０５、通信部３０６、操作入力部３０７、を適宜用いて構成される。【００３７】  制御部３０１は、ＣＰＵ等で構成され、メモリ部３０２に記憶されたオペレーティングシステムや各種のアプリケーションプログラムなどに従って視聴装置３０の全体を制御する。【００３８】  また、メモリ部３０２には、近距離無線通信部３０４で受信されたアカウント３０２ａが格納される。バス３００は制御部３０１と視聴装置３０内の各部との間でデータ送受信を行うためのデータ通信路である。【００３９】  ストレージ部３０３は、コンテンツ配信サーバ２０から受信されたコンテンツ番組を格納する。また、通信部３０６は有線ＬＡＮまたは無線ＬＡＮによりインターネット等の外部ネットワーク５０とデータの送受信を行い、外部ネットワーク５０を介して、コンテンツ配信サーバ２０からコンテンツ番組をダウンロードする。この際、ダウンロードされたコンテンツはストレージ部３０３内のコンテンツ記録領域３０３ａに格納記憶される。【００４０】  操作入力部３０７は、視聴装置３０に対する操作指示の入力を行う指示入力部であり、本実施例では、ボタンスイッチを並べた操作キーを用いて適宜構成される。【００４１】  表示部３０５は、例えば液晶パネルのような表示デバイスであり、通信部３０６を介して受信したコンテンツ番組、或いはストレージ部３０３に格納されているコンテンツ番組を表示する。なお、ストレージ部３０３から読み出してコンテンツ番組を視聴する場合には、外部ネットワーク５０でのコンテンツデータ配信の際に外部ネットワーク５０の逼迫等によりコンテンツ配信の一時的な中断・遅延が起こっても、コンテンツ配信の中断・遅延を充分解消できる時間だけストレージ部３０３からの読出しを遅らせて表示することによって、一時的な視聴中断が生じることなくコンテンツ番組を視聴できる。【００４２】  以上の構成により、コンテンツ配信サーバに予めユーザー登録済のユーザーは、ユーザーが保有している携帯情報端末を用いて、コンテンツ配信サーバからの貸出し視聴希望のコンテンツ番組を、どこに居てもどの視聴装置でも、自由に選択したユーザーの近くにある視���装置で視聴でき、使い勝手のよいコンテンツ番組視聴環境を得ることができる。【００４３】  （５．コンテンツ配信システムの動作）  次に、コンテンツ配信システムの動作例について説明する。【００４４】  図２Ａおよび図２Ｂは、図１に示したコンテンツ配信システムの動作シーケンスの一例を示す図である。まず、図２Ａを参照すると、ユーザーが携帯情報端末１０にて操作入力部１０６の入力ボタンやメニュー画面などにより、視聴希望のコンテンツ番組の貸出し要求を行う（Ｓ２０１）。貸し出し対象のコンテンツの単位は、チャンネル単位や番組単位など任意である。【００４５】  これにより、携帯情報端末１０は、基地局通信部１０３から、基地局４０、外部ネットワーク５０を介してコンテンツ配信サーバ２０に通信アクセスを行い、ログイン画面情報を要求／取得する（Ｓ２０２）。【００４６】  携帯情報端末１０ではログイン画面を表示部１０７に表示し、ユーザーが操作入力部１０６により、ログイン情報としてユーザー識別情報１０２ａおよびユーザーパスワード１０２ｂを入力保存する（Ｓ２０３）。【００４７】  そして、携帯情報端末１０は入力保存されたユーザー識別情報１０２ａおよびユーザーパスワード１０２ｂを、携帯情報端末１０から外部ネットワーク５０を介してコンテンツ配信サーバ２０に送信する（Ｓ２０４）。【００４８】  コンテンツ配信サーバ２０は、ストレージ２０４内のユーザー情報蓄積領域２０６に有料契約等で登録済のユーザー情報として蓄積されているユーザー識別情報２０６ａ及びユーザーパスワード２０６ｂと、携帯情報端末１０から送信されたユーザー識別情報１０２ａおよびユーザーパスワード１０２ｂとを参照照合し、携帯情報端末１０を保有しているユーザーが正規の登録ユーザーであることを認証し（Ｓ２０５）、携帯情報端末１０にユーザー認証確認結果を送信する（Ｓ２０６）。【００４９】  ユーザーは、携帯情報端末１０にてコンテンツ配信サーバ２０からのユーザー認証結果の受信を確認した後、操作入力部１０６より視聴希望のコンテンツ番組を入力し、コンテンツ識別情報１０２ｃとしてメモリ部１０２に保存する（Ｓ２０７）。その後、携帯情報端末１０は、コンテンツ配信サーバ２０に対し、基地局通信部１０３、外部ネットワーク５０を介して、入力されたコンテンツ識別情報を送信するとともに、アカウントの発行を要求する（Ｓ２０８）。なお、コンテンツの貸し出し要求（Ｓ２０１）の時点で、視聴希望のコンテンツ番組が一意に特定されている場合には、視聴希望のコンテンツ番組の入力（Ｓ２０７）は省略してもよい。【００５０】  コンテンツ配信サーバ２０は、コンテンツ識別情報及びアカウントの発行要求を受けて、コンテンツ識別情報に対応するコンテンツ番組が視聴登録されていることを確認の上、コンテンツ識別情報を含むアカウントを発行し、更に発行したアカウントをストレージ２０４の例えばユーザー情報蓄積領域２０６にアカウント２０６ｃとして記録保存する（Ｓ２０９）。【００５１】  また、コンテンツ配信サーバ２０は、発行したアカウントを外部ネットワーク５０、基地局４０を介して携帯情報端末１０に送信する（Ｓ２１０）。携帯情報端末１０は、受信したアカウントをメモ��部１０２にてアカウント１０２ｄとして記録保存する（Ｓ２１１ａ）。【００５２】  以上のアカウント生成処理により、コンテンツ配信サーバ２０は、携帯情報端末１０で設定入力されたユーザー識別情報、ユーザーパスワードを用いてユーザーの認証を行うとともに、携帯情報端末１０で視聴希望設定されたコンテンツ番組の視聴貸出しを認可するアカウントを発行し、携帯情報端末１０では、コンテンツ配信サーバ２０から送信されたアカウントを受信保存することができる（Ｓ２００ａ）。なお、携帯情報端末１０が行う処理Ｓ２０１、Ｓ２０３，Ｓ２０７の順序は図２Ａに限定されるものではなく、順序を入れ替えてもよいし、同時に行ってもよい。【００５３】  次に、図２Ｂを参照すると、携帯情報端末１０を身近に保有しているユーザーが視聴希望の視聴装置３０に近づくなどし、ユーザーが操作入力部１０６にて簡単なワンタッチ入力操作を行うことにより、携帯情報端末１０は、近距離無線通信部１０５にて近距離無線通信によるアカウント１０２ｄの発信を開始する（Ｓ２１１ｂ）。発信されたアカウント１０２ｄは、携帯情報端末の近傍に存在する視聴装置３０に送信される（Ｓ２１２）。なお、携帯情報端末１０は、アカウントの送信の開始、継続、中断、再開等の操作を可能としてもよい。【００５４】  なお、携帯情報端末の近傍に存在する視聴装置が複数ある場合には、予めユーザー操作等により、貸出し視聴を希望する視聴装置だけをアカウントの受信待ち状態にしておけばよい。例えば、視聴希望の視聴装置３０に対し、操作入力部３０７を用いて近距離無線通信部３０４が受信可能な状態になるように設定入力することにより、視聴希望の視聴装置３０だけアカウント受信待ち状態にすることができる。視聴装置３０は、携帯情報端末から近距離無線通信で送信されたアカウント１０２ｄが受信可能な近傍範囲内に存在しアカウント１０２ｄを受信できるか、或いはアカウント１０２ｄが受信可能な近傍範囲外にあってアカウント１０２ｄを受信できないか、という判別処理をある一定間隔で周期的に行う（Ｓ２１３）。周期は例えば１０秒〜３０分間隔で設定してよいが、ユーザーが所定範囲の中から任意に選択してもよい。【００５５】  視聴装置３０でアカウント１０２ｄを受信できる場合には、視聴装置３０は、通信部３０６から外部ネットワーク５０を介してコンテンツ配信サーバ２０に、携帯情報端末から受信保存したアカウント３０２ａおよび視聴装置３０を特定する視聴装置ＩＤを送信するとともに、貸出し希望のコンテンツ番組の視聴要求を行う（Ｓ２１４）。【００５６】  コンテンツ配信サーバ２０は、受信したアカウント３０２ａとストレージ２０４内に記録保存している発行済のアカウント２０６ｃとを照合し一致すると、受信したアカウント３０２ａ内に含まれる視聴希望コンテンツ識別情報に合ったコンテンツ番組をコンテンツ情報蓄積領域２０５から読み出し配信できるようにし（Ｓ２１５）、配信可能なコンテンツ番組を前記視聴装置ＩＤにより特定した視聴装置３０に送信する（Ｓ２１６）。【００５７】  視聴装置３０では、コンテンツ配信サーバ２０から配信されたコンテンツ番組を、表示部３０５、スピーカ３０９により視聴することができる（Ｓ��１７）。また配信されるコンテンツ番組が終了したか否か判別し（Ｓ２１８）、コンテンツ番組の視聴装置への配信が終了していない場合には前記周期的なアカウントの受信確認を繰り返す処理を行う（Ｓ２１９）。近距離無線によるアカウントの監視を継続することによって、視聴装置３０は適正な視聴の権限を持つユーザーが近距離すなわち、視聴可能範囲にいることを確認することができる。【００５８】  コンテンツ番組の視聴装置への配信が終了した場合には番組視聴を終了し（Ｓ２２０）、視聴装置３０から携帯情報端末１０に視聴番組終了を示す情報を送信する（Ｓ２２１）。このとき、視聴装置３０は、自装置内のメモリ部３０２に保存してあるアカウント３０２ａを削除する。携帯情報端末１０では、コンテンツ番組視聴終了を受けて、視聴装置３０へのアカウント１０２ｄの送信を停止し（Ｓ２２２）、アカウント貸出しによる視聴装置でのコンテンツ視聴を終了させる。【００５９】  一方、視聴装置３０で携帯情報端末１０からのアカウント１０２ｄを受信できない場合には、視聴装置３０は、通信部３０６から外部ネットワーク５０を介してコンテンツ配信サーバ２０に、貸出し希望コンテンツ番組視聴要求の停止を行う（Ｓ２２３）。コンテンツ配信サーバ２０は、コンテンツ番組視聴要求の停止を受けて、コンテンツ番組の配信の停止処理を行う（Ｓ２２４）。視聴装置３０では、コンテンツ番組の送信停止（Ｓ２２５）に伴い、コンテンツ番組の視聴を中断し（Ｓ２２６）、アカウントの周期的受信確認を繰り返す処理に戻る（Ｓ２２７）。【００６０】  視聴装置３０は、アカウントの周期的受信確認中（Ｓ２１３）に、再度アカウントを受信すると、再度貸出し希望のコンテンツ番組の視聴要求を行う（Ｓ２１４）。これにより、番組配信が再開される。ただし、所定時間、例えば最後のアカウント受信から１時間を経過した場合は、もはやユーザーは戻らないとみなして自装置内のメモリ部３０２に保存してあるアカウント３０２ａを削除する。視聴装置３０におけるアカウント３０２ａの削除処理については、他の実施例でも同様である。【００６１】  以上のアカウントの送受信によるコンテンツ視聴処理により、視聴装置では、携帯情報端末からのアカウントの周期的な受信確認結果に応じて、コンテンツ配信サーバから配信出力された視聴希望コンテンツ番組の視聴を開始／継続／中断／再開する（Ｓ２００ｂ）。【００６２】  而して、携帯情報端末１０を身近に保持しているユーザーが視聴装置３０の近傍に存在し、携帯情報端末での簡単なワンタッチ入力操作により、アカウントを近距離無線通信で送信し、視聴装置３０が携帯情報端末からのアカウントを近距離無線通信で受信可能なときには、ユーザーはコンテンツ配信サーバから配信された貸出し視聴希望のコンテンツ番組を、どこに居てもユーザーの近くにある視聴装置で視聴することができるという効果がある。【００６３】  また、携帯情報端末を保持しているユーザーが視聴装置から離れたときには、アカウントの受信が不可能になることにより、離れたことを識別し、コンテンツの配信を停止し、配信コンテンツ番組の視聴をその画面で一時中断（ポーズ）できる。その後、また携帯情報端末を保持しているユー��ーが視聴装置の近傍に近づくと、アカウントの受信が可能になることにより、コンテンツ番組の視聴を引き続いて再開することができ、よってユーザーにとって簡単ワンタッチ操作により使い勝手よくコンテンツ番組の貸出し視聴の開始／継続／再開を可能にできるという効果がある。【００６４】  なお、視聴装置が携帯情報端末からのアカウントを受信できる近傍範囲内にあっても、ユーザーが携帯情報端末を持たずに視聴装置から一時的に離れるなどして、コンテンツ番組の視聴を途中で中断させる場合には、ユーザーが操作入力部１０６により視聴中断を設定入力し、近距離無線通信部１０５からのアカウント１０２ｄの送信を停止させるようにしてもよい。更に、ユーザーが視聴装置の近傍に戻ってきたときには、携帯情報端末の操作入力部１０６により視聴再開を設定入力し、近距離無線通信部１０５からのアカウント１０２ｄの送信を再開させるようにすればよい。この場合、携帯情報端末からのアカウントの送受信によるコンテンツ番組の視聴貸出し制御に加え、コンテンツ番組の視聴の中断や再開を自ら設定することにより、携帯情報端末を未保持の場合のユーザーにとっても使い勝手のよい使用環境を実現できる。【００６５】  （６．携帯情報端末の操作画面例）  図３に携帯情報端末１０の操作入力部１０６における操作時の画面表示例を示す。表示画面１０６ａは、携帯情報端末１０の機能メニュー等により視聴希望コンテンツの貸出し要求を選択設定し、表示された『ＳＴＡＲＴ』ボタンをクリックすることによって、コンテンツ配信サーバ２０に視聴希望コンテンツの貸出し要求を行う（Ｓ２０１）ときの表示画面例である。これにより、ログイン画面情報を要求／取得できる（Ｓ２０２）。【００６６】  表示画面１０６ｂ、１０６ｃは、コンテンツ配信サーバ２０から送信されたログイン画面情報の取得に基づき、次に、携帯情報端末１０の操作入力メニューによりユーザー識別情報（ＩＤ）及びユーザーパスワードの入力を行うときの表示画面例である。【００６７】  表示画面１０６ｄは、コンテンツ配信サーバ２０でユーザー識別情報及びユーザーパスワードの照合認証が行われ携帯情報端末１０で認証確認結果を受信した後、携帯情報端末１０で視聴希望のコンテンツ番組を選択設定するときの表示画面例である。コンテンツの映画、ドラマなどのジャンルを選択し、更に詳細メニュー（未図示）から視聴希望のコンテンツ番組を選択設定する場合の例であるが、これに限定せず、例えば視聴希望のコンテンツ番組名を入力するなど、視聴希望のコンテンツ番組を選択設定できればよい。また、登録済ユーザーが、予め視聴契約しているコンテンツ番組を表示させ、その中から選択するようにしてもよい。【００６８】  表示画面１０６ｅは、携帯情報端末１０がコンテンツ配信サーバ２０で発行されたコンテンツ識別情報を含むアカウントを受信したことを『受信済み』表示でユーザーに示す表示画面例である。これにより、携帯情報端末１０を身近に保持しているユーザーは、視聴装置３０へのアカウントの送信が可能な状態になったことを認識確認することができる。【００６９】  表示画面１０６ｆは、表示画面１０６ｅでの『受信済み』表示の後、携帯情報端末１０を身近に保持しているユーザーが視聴希望のコンテンツ番組を視聴する視聴装置３０の近傍にあって、表示された『ＳＴＡＲＴ』ボタンをクリックすることによって、アカウントを視聴装置３０に送信を行うときの表示画面である。これにより、携帯情報端末１０からワンタッチで視聴装置３０にアカウントを送信でき、視聴装置３０でアカウントを受信できる場合には、視聴装置３０で視聴希望のコンテンツ番組を視聴することができる。また携帯情報端末１０を身近に保持しているユーザーが視聴装置３０から離れるなどして、視聴装置３０でアカウントを受信できなくなった場合には、その時点でコンテンツ番組の視聴を中断（ポーズ）しておくことができ、その後再度ユーザーが視聴装置３０に近づき視聴装置でアカウントを受信できるようになれば、コンテンツ番組の視聴を再開することができる。また、ユーザーが携帯情報端末を待たずに視聴装置を一旦離れるなどして、視聴装置でのコンテンツ番組の視聴を一旦中断するとき、ユーザーが表示画面１０６ｆの『ＳＴＯＰ』ボタンをクリックすることによって、携帯情報端末が視聴装置の近傍にあっても、視聴中断を行うことができる。これにより、視聴装置近傍にある携帯情報端末１０にて視聴装置３０へのアカウントの送受信をワンタッチで設定制御することにでき、アカウントが受信できる場合には、視聴装置３０で視聴希望のコンテンツ番組を視聴することができる。【００７０】  なお、近距離無線通信によるアカウントのワンタッチ発信（Ｓ２１１ｂ）において、視聴装置３０での周期的な受信確認タイミングと同期させた形で、所定時間毎に周期的に送信することにより、携帯情報端末１０の送信を間欠的にすることができ、携帯情報端末の消費電力を大幅に低減できるという効果が得られる。【００７１】  （７．リレー視聴の例）  次に、ある視聴装置での視聴を中断し、別の視聴装置にリレーしながら引き続いて視聴を行うリレー視聴の場合について説明する。【００７２】  図４は、視聴装置３０と同様構成の視聴装置３１でコンテンツ番組の視聴を開始し貸出し視聴を行っている途中で視聴装置３１での視聴を中断（ポーズ）し、ユーザーが携帯情報端末１０を保持して、視聴装置３０と同様構成の別の視聴装置３２に移動し貸出し視聴動作を行うことにより、コンテンツ番組の視聴中断／再開を繰り返し、複数の視聴装置でリレーしながら視聴を行うリレー視聴の動作を説明する図の例である。【００７３】  図４において、（ａ）は、ユーザーが視聴装置３１を有するＡ宅で携帯情報端末１０を用いて視聴装置３１でコンテンツ番組の視聴を開始し、その後、視聴装置３２を有するＢ宅に移動し、更に視聴装置３２でコンテンツ番組の視聴を継続再開する場合のイメージを示す。（ｂ）は携帯情報端末１０保持のユーザー位置を示す。（ｃ）は、携帯情報端末から視聴装置へのアカウントの送受信の状態を示す。送受信されるのは、携帯情報端末から視聴装置へのアカウント、中断フラグ或いは中断位置ポインタ等である。（ｄ）は、コンテンツ番組の視聴の状態を示す図である。【００７４】  （ａ）、（ｂ）に示すように、ユーザーがＡ宅内の視聴装置３１に近づき、アカウント生成処理（Ｓ２００ａ）を行い、更に近距離無線通信によるアカウントのワンタッチ発信操作（Ｓ２１１ｂ）を行う。これにより、（ｃ）に示すように、携帯情報端末１０と視聴装置３１との間でアカウントの送受信が行われると、（ｄ）に示すように、Ａ宅内の視聴装置３１でコンテンツ番組の視聴を行うことができる。これらの処理は、図２Ａ，図２Ｂで説明した処理Ｓ２００ａ，Ｓ２００ｂと同様の処理である。【００７５】  この後、ユーザーが携帯情報端末１０を保持しつつＡ宅からＢ宅に移動すると、その移動中は、（ｂ）、（ｃ）、（ｄ）に示すように、アカウントの送受信範囲外になり（Ｓ２４０）、携帯情報端末１０と視聴装置３１とのアカウントの送受信は不可になり、コンテンツ番組の視聴は中断される。或いは、携帯情報端末１０の表示画面１０６ｆの『ＳＴＯＰ』ボタン操作によりアカウントの発信停止を行うことにより（Ｓ２４０）、同様にコンテンツ番組の視聴は中断される。【００７６】  また、視聴装置３１は、視聴中断が発生した際にコンテンツ番組の視聴中断位置あるいは視聴中断時間を示す中断フラグ或いは中断ポインタを携帯情報端末１０に送信し、携帯情報端末１０は受信した中断フラグ或いは中断ポインタをメモリ部１０２に記憶保存する。なお、携帯情報端末１０と視聴装置３１との間で継続的にコンテンツ番組の視聴位置を示す視聴位置情報を送受信しておき、視聴中断が発生したとき、前記視聴位置情報を前記中断フラグ或いは中断ポインタとしてメモリ部１０２に記憶保存させてもよい。【００７７】  更に、（ａ）、（ｂ）に示すように、ユーザーがＢ宅に移動し視聴装置３２に近づき、アカウントの送受信範囲内に入ると（Ｓ２４１）、（ｃ）、（ｄ）に示すように、携帯情報端末１０と視聴装置３２との間でアカウントの送受信が再び行われ、Ｂ宅内の視聴装置３２でコンテンツ番組の視聴再開を行うことができる。或いは、ユーザーがＢ宅の視聴装置３２に近づき、アカウントの送受信範囲内に入ったのち、一旦発信を停止されていたアカウントの発信を携帯情報端末１０の表示画面１０６ｆの『ＳＴＡＲＴ』ボタン操作により再開することにより（Ｓ２４１）、同様にコンテンツ番組の視聴を再開できる。視聴再開時の処理Ｓ２４１では、ユーザーはすでにアカウントの情報を携帯情報端末１０に保存済みのため、図２Ａで説明した処理Ｓ２００ａは必要なく、基本的に図２Ｂで説明した処理Ｓ２００ｂと同様の処理である。ただし、コンテンツ番組の途中から視聴を再開するため、以下の処理を含む。【００７８】  携帯情報端末１０は、携帯情報端末１０のメモリ部１０２に記憶保存されている前記中断フラグ或いは中断ポインタを視聴装置３２に送信し、視聴装置３２では、受信した中断フラグ或いは中断ポインタをもとに、コンテンツ配信サーバ２０からのコンテンツ番組の受信を前記視聴中断位置から再開させる。このとき、携帯情報端末１０は、メモリ部１０２に前記中断フラグ或いは中断ポインタが格納されている場合には、アカウントに中断フラグ或いは中断ポインタを付加して継続的に発信してもよい。あるいは、アカウントとは別に中断フラグ或いは中断ポインタを付加して継続的に発信してもよい。あるいは、図示していないが、アカウントの受信を確認した視聴装置３２からの応答を携帯情報端末１０が受信したタ���ミングで、中断フラグ或いは中断ポインタを発信してもよい。【００７９】  よって、携帯情報端末を用いた簡単なワンタッチ操作で、視携帯情報端末から視聴装置へのアカウント、中断フラグ或いは中断ポインタの送受信を行うことにより、視聴装置間で次々と引き継いでコンテンツ番組のリレー視聴をコンテンツ番組の視聴終了まで実現できる。【００８０】  なお、前記中断フラグ或いは中断ポインタを用いない場合の例としては、コンテンツ配信サーバ２０から視聴装置３１へのコンテンツ番組の配信が中断された際に、コンテンツ配信サーバ２０は、視聴中断された番組の中断位置をストレージ２０４に記憶しておき、その後、他の視聴装置３２からの視聴中断されているコンテンツ番組の視聴再開要求に応じて、ストレージ２０４に記憶している番組の中断位置から他の視聴装置に配信を再開させることにより、他の視聴装置で継続してコンテンツ番組のリレー視聴を行うようにしてもよい。
【実施例２】
【００８１】  図５は、図１に示したコンテンツ配信システムの動作シーケンスの他の一例を示す図である。図５において、図２（ａ）、図２（ｂ）に示され同一の符号を付された各シーケンス部は、図２（ａ）、図２（ｂ）で既に説明した動作と同一の動作を有するので、それらの詳細説明は省略する。【００８２】  図５において、アカウント生成処理（Ｓ２００ａ）、近距離無線通信によるアカウントのワンタッチ発信操作（Ｓ２１１ｂ）、及び発信されたアカウントの視聴装置３０への送信（Ｓ２１２）は、図２（ａ）、図２（ｂ）で示して説明した通りである。ユーザーの携帯情報端末１０でのワンタッチクリック操作により、携帯情報端末１０は視聴装置３０にアカウント１０２ｄを送信する。【００８３】  視聴装置３０は、アカウント１０２ｄの受信確認をある一定間隔で周期的に行う（Ｓ２１３ａ）。この周期的な受信確認は、携帯情報端末１０から近距離無線通信で送信されたアカウント１０２ｄが、携帯情報端末１０が視聴装置３０に近づくことにより、視聴装置３０で受信されるまで継続される（Ｓ２１３ａ）。【００８４】  視聴装置３０でアカウント１０２ｄを一旦受信できると、視聴装置３０は、通信部３０６から外部ネットワーク５０を介してコンテンツ配信サーバ２０に、受信保存したアカウント３０２ａを送信するとともに、貸出し希望のコンテンツ番組の視聴要求を行う（Ｓ２１４）。【００８５】  コンテンツ配信サーバ２０は、受信したアカウント３０２ａとストレージ２０４内に記録保存している発行済のアカウント２０６ｃとを照合し一致すると、受信したアカウント内に含まれる視聴希望コンテンツ識別情報に合ったコンテンツ番組をコンテンツ情報蓄積領域２０５から読み出し配信できるようにし（Ｓ２１５ａ）、前記コンテンツ番組をその番組の最後まで視聴装置３０に送信する（Ｓ２１６）。【００８６】  視聴装置３０では、コンテンツ配信サーバ２０から配信されたコンテンツ番組を表示部３０５、スピーカ３０９により視聴する（Ｓ２１７ａ）。また視聴装置３０は、配信されるコンテンツ番組が終了したか否かの判別処理（Ｓ２１８）により、コンテンツ番組の視聴装置への配信が終了するまでコンテンツ番組の視聴を継続し（Ｓ２１９ａ）、コンテンツ番組の視聴装置への配信終了とともに番組視聴を終了する（Ｓ２２０）。【００８７】  コンテンツ番組の視聴終了後、視聴装置３０は携帯情報端末１０に視聴番組終了を示す情報を送信し（Ｓ２２１）、携帯情報端末１０では、コンテンツ番組視聴終了を受けて、視聴装置３０へのアカウントの送信を停止させる（Ｓ２２２）。以上のアカウントの送受信によるコンテンツ視聴処理により、視聴装置では、携帯情報端末からのアカウントの受信確認を周期的に行い、アカウントを受信すると、コンテンツ配信サーバから配信出力された視聴希望コンテンツ番組の視聴を行う（Ｓ２００ｃ）。【００８８】  而して、ユーザーが携帯情報端末１０を身近に保持して視聴装置３０の近傍でコンテンツ番組の貸出し視聴を開始した後、例えばユーザー以外の者が携帯情報端末１０を持って出かけるなどして、携帯情報端末１０が視聴装置３０から離れてしまい、携帯情報端末１０からのアカウント１０２ｄを視聴装置３０��受信できなくなっても、ユーザーはコンテンツ番組を最後まで視聴することができる。
【実施例３】
【００８９】  次に、コンテンツ配信サーバから外部ネットワーク経由で送信された登録済コンテンツ番組を貸出し視聴する場合でなく、電波を用いて放送される有料契約等で登録済のコンテンツ番組を、携帯情報端末の近傍にある視聴装置で貸出し視聴する場合の実施例について説明する。【００９０】  図６は、本実施形態に係るコンテンツ視聴システムの一実施例を示すブロック構成図である。図１の構成との差異を説明すると、図１の携帯情報端末１０は図６では携帯情報端末１１に置き換えられ、携帯情報端末１１は、コンテンツ識別情報１０２ｃの代わりに放送コンテンツ識別情報１０２ｅを格納し、アカウント１０２ｄの代わりにキー情報を含むアカウント１０２ｆを格納する。【００９１】  コンテンツ配信サーバ２０は、放送側設備２１に包含もしくは付属される。放送側設備２１は、撮像部２２０、放送送信部２２１、送信アンテナ２２２を具備する。また、ユーザー情報蓄積領域２０６は、図１のアカウント２０６ｃの代わりに、キー情報を含むアカウント２０６ｄを具備する。【００９２】  図１の視聴装置３０に代わる視聴装置３５は、放送受信部３２０、受信アンテナ３２１を具備し、メモリ部３０２には、キー情報を含むアカウント３０２ｂを格納する。図１の通信部３０６は不要となる。また、放送側設備２１と視聴装置３５の間の通信には、放送衛星６０が介在する。なお、図６において、図１の実施例と同一処理部分には同じ符号を付しており、それらの説明は省略する。【００９３】  放送側設備２１において、撮像部２２０はカメラなどからなり、リアルタイムの放送用コンテンツ番組を作成する。放送送信部２２１は、撮像部２２０からの放送用コンテンツ番組やコンテンツ配信サーバ２０からのコンテンツ番組を映像信号及び音声信号に変換した後、デジタル符号化やデータ圧縮などのエンコード処理、映像データと音声データの多重化処理（トランスポートストリーム（ＴＳ）化）、更にトランスポートストリーム（ＴＳ）の暗号化処理、リードソロモン符号などの誤り訂正符号付加処理、デジタル変調処理を順次施し、送信情報データを生成する。放送送信部２２１で生成された送信情報データは、送信アンテナ２２２に供給される。【００９４】  放送衛星６０では、送信アンテナ２２２から電波として送信された送信情報データを受信するとともに、受信アンテナ３２１に再送信する。【００９５】  視聴装置３５において、放送受信部３２０では、受信アンテナ３２１で受信された電波をデジタル復調処理、誤り訂正処理、更にトランスポートストリーム（ＴＳ）の暗号解除・複号化処理、映像データと音声データの多重分離処理、映像・音声の各々のデコーダ処理を順次施し、コンテンツ番組を映像信号及び音声信号に復元する。表示部３０５は復元された映像信号を画面に表示し、スピーカ３０９は復元された音声信号を音声として再生し、ユーザーは放送されたコンテンツ番組を視聴することができる。【００９６】  図６において、図１の実施例での説明と同様に、携帯情報端末１１はコンテンツ配信サーバ２０からアカウントを取得する。ただし、携帯情報端末１１は、外部ネットワーク５０を介して、設定入力された視聴希望の放送コンテンツ番組を示す放送コンテ��ツ識別情報１０２ｅを送信側設備２１に送信するとともに、視聴登録済の放送コンテンツ番組の暗号解除に必要なキー情報を含むアカウントの発行を要求する。【００９７】  送信側設備２１は、アカウントの発行要求を受け、前記キー情報を含むアカウント２０６ｄを発行保存し、外部ネットワーク５０を介して携帯情報端末１１に送信する。携帯情報端末１１は、受信し保存したアカウント１０２ｆを近距離無線通信で携帯情報端末１１の近傍にある視聴希望の視聴装置３５に送信する。【００９８】  携帯情報端末１１を身近に保持しているユーザーが視聴装置３５で視聴できる範囲内にあって、視聴装置３５では携帯情報端末１１からのアカウント１０２ｆを近距離無線通信で受信すると、視聴装置３５は、メモリ部３０２内に受信したアカウント１０２ｆをアカウント３０２ｂとして保存する。また、視聴装置３５内の放送受信部３２０は、アカウント３０２ｂとして受信したキー情報を用いて、暗号化されて放送受信されたトランスポートストリーム（ＴＳ）の暗号解除・複号化処理を行い、映像信号及び音声信号を復元し、表示部３０５、スピーカ３０９にて貸出し視聴希望のコンテンツ番組を視聴可能にする。【００９９】  なお、上述例では、アカウント３０２ｂとして受信したキー情報を、トランスポートストリーム（ＴＳ）の放送コンテンツ番組の暗号解除を行うスクランブルキーとして直接使用する場合であるが、これ以外の方法でもよい。例えば、放送側設備２１から、放送コンテンツ番組とは別に、コンテンツ番組の暗号解除に必要なキー情報を暗号化して取り込む関連情報を放送し、アカウント３０２ｂとして受信したキー情報で前記関連情報の暗号解除を行い、前記関連情報の暗号解除から取り出されるキー情報を放送コンテンツ番組暗号解除のスクランブルキーとしてもよい。【０１００】  更には、前記関連情報を複数設けてもよく、例えば、第１、第２の関連情報を設け、受信した前記第１の関連情報をアカウント３０２ｂとして受信したキー情報により暗号解除し、前記第１の関連情報の暗号解除から取り出された第１のキーで第２の関連情報の暗号解除を行い、前記第２の関連情報の暗号解除から取り出された第２のキーをスクランブルキーとして用いて、放送コンテンツ番組の暗号解除を行ってもよい。即ち、放送される複数の関連情報に対し、各々暗号解除用キー情報の取り出しと暗号解除を繰り返し、最終的に取り出されたキー情報をスクランブルキーとして用いて、放送コンテンツ番組の暗号解除を行ってもよい。この場合、暗号の多重化によりコンテンツ保護のセキュリティをより一層高くできる。【０１０１】  また、上述の例では、視聴契約済のコンテンツ番組を設定入力する場合について説明したが、チャンネル（放送局）毎の契約の場合でも同様である。即ち、この場合、ユーザーは、ユーザー認証を受けた後、携帯情報端末１１の操作入力部１０６から、視聴希望の視聴装置で視聴したい視聴契約済のチャンネル（放送局）を設定入力する。携帯情報端末１１は、設定入力された視聴希望のチャンネル（放送局）に応じて通信先の放送側設備を選択し、設定入力された視聴希望の放送チャンネルを示す放送チャンネル識別情報を前記放送コンテンツ識別情報１０２ｅと���て選択した送信側設備に送信するとともに、視聴登録済の放送チャンネルの暗号解除に必要なキー情報を含むアカウントの発行を要求すればよい。その後は、上述と同様な処理を経て、暗号化されて放送受信されたトランスポートストリーム（ＴＳ）の暗号解除・複号化処理を行い、映像信号及び音声信号を復元し、表示部３０５、スピーカ３０９にて貸出し視聴希望の放送チャンネルを視聴可能にすることができる。【０１０２】  以上の構成により、有料契約などで予め視聴可能な放送コンテンツ番組或いは放送チャンネル（放送局）を登録済のユーザーは、ユーザーが保持している携帯情報端末を用いて、放送波からの貸出し視聴希望のコンテンツ番組或いは放送チャンネルを、どこに居てもどの視聴装置でも、自由に選択したユーザーの近くにある視聴装置で視聴でき、使い勝手のよいコンテンツ視聴環境を得ることができる。なお、図６に示した実施例では、放送衛星を用いた衛星放送の場合で説明したが、地上デジタル放送の場合でも同様の作用、効果が得られることは明白である。【０１０３】  次に、図６に示したコンテンツ視聴システムの動作例について説明する。【０１０４】  図７Ａおよび図７Ｂは、図６に示したコンテンツ視聴システムの動作シーケンスの一例を示す図である。図７において、図２、図５に示され同一の符号を付された各シーケンス部は、図２、図５で既に説明した動作と同一の動作を有するので、それらの詳細説明は省略する。【０１０５】  図７Ａは基本的には図２Ａとほぼ同様の処理であるが、ハードウェア構成としては、図２のコンテンツ配信サーバ２０が放送側設備２１に、携帯情報端末１０が携帯情報端末１１に、視聴装置３０が視聴装置３５に置き換わっている。また処理内容としては、図２Ａではネット配信されていたコンテンツ番組が、図７Ａでは放送により配信される放送コンテンツ番組に置き換わる。それ以外は、図７Ａの処理Ｓ２０１〜処理Ｓ２０６までは、図２Ａのそれと同様である。【０１０６】  その後、携帯情報端末１１は、コンテンツ配信サーバ２０に対し、基地局通信部１０３、外部ネットワーク５０を介して、入力保存した放送コンテンツ識別情報１０２ｅを送信するとともに、視聴装置３５で受信する放送コンテンツ番組の暗号解除に必要なキー情報を含むアカウントの発行を要求する（Ｓ７０８）。【０１０７】  コンテンツ配信サーバ２０は、放送コンテンツ識別情報及びアカウントの発行要求を受けて、放送コンテンツ識別情報に対応する放送コンテンツ番組が視聴登録されていることを確認の上、放送コンテンツ識別情報及び前記キー情報を含むアカウントを発行し、更に発行したアカウントをユーザー情報蓄積領域２０６にアカウント２０６ｄとして記録保存する（Ｓ7０９）。【０１０８】  また、コンテンツ配信サーバ２０は、発行保存したアカウント２０６ｄを外部ネットワーク５０、基地局４０を介して携帯情報端末１１に送信する（Ｓ７１０）。【０１０９】  携帯情報端末１１は、受信したアカウント２０６ｄをメモリ部１０２にてアカウント１０２ｆとして記録保存する（Ｓ７１１ａ）。以上のアカウント生成処理により、コンテンツ配信サーバ２０は、携帯情報端末１１で設定入力されたユーザー識別情報、ユーザーパス��ードを用いて携帯情報端末１１のユーザー認証を行うとともに、携帯情報端末１１で視聴希望設定された放送コンテンツ番組の復号を可能にするキー情報を含むアカウントを発行し、携帯情報端末１１では、コンテンツ配信サーバ２０から送信されたアカウントを受信保存することができる（Ｓ７００ａ）。【０１１０】  次に、図７Ｂを参照すると、携帯情報端末１０を身近に保持しているユーザーが視聴希望の視聴装置３５に近づくなどし、更にユーザーが操作入力部１０６にて簡単なワンタッチ入力操作を行うことにより、携帯情報端末１１は、近距離無線通信部１０５にて近距離無線通信によるアカウント１０２ｆの発信を開始する（Ｓ７１１ｂ）。発信されたアカウント１０２ｆは、携帯情報端末の近傍に存在する視聴装置３５に送信される（Ｓ７１２）。【０１１１】  視聴装置３５は、携帯情報端末から近距離無線通信で送信されたアカウント１０２ｆが受信可能な近傍範囲内に存在しアカウント１０２ｆを受信できるか、或いはアカウント１０２ｆが受信可能な近傍範囲外にあってアカウント１０２ｆを受信できないか、という判別処理をある一定間隔で周期的に行う（Ｓ７１３）。【０１１２】  視聴装置３５でアカウント１０２ｆを受信できた場合には、視聴装置３５は、受信したアカウント１０２ｆをメモリ部３０２にアカウント３０２ｂとして記録保存する（Ｓ７１４）。コンテンツ番組の放送の際には、放送側設備２１は、コンテンツ番組を暗号化して生成するとともに、受信する視聴装置の制御に関する情報と視聴可否に関する情報（例えば、この番組はスポーツ番組で有料、など）とを合わせた第１の関連情報（共通情報）、及び共通情報の暗号を解くための第２の関連情報（個別情報）を生成し（Ｓ７１５）、視聴装置３５に向けて送信する（Ｓ７１６）。【０１１３】  なお、前記共通情報、前記個別情報とも、暗号化されて送出されている。そこで、放送受信部３２０では、まず、携帯情報端末１１から受信した前記キー情報を用いて前記個別情報の暗号を解き、復号した個別情報から前記共通情報を解く第１のキー（ワークキー）を取り出し、次に第１のキー（ワークキー）を用いて前記共通情報を解いて第２のキーを取り出し、取り出した第２のキーをスクランブルキーとして用いて放送コンテンツ番組自体の暗号解除・復号化を行う（Ｓ７１７）。【０１１４】  よって、ユーザーは、暗号解除し復号された放送コンテンツ番組の映像信号及び音声信号を表示部３０５、スピーカ３０９により視聴することができる（Ｓ７１８）。【０１１５】  また配信されるコンテンツ番組が終了したか否か判別し（Ｓ７１９）、コンテンツ番組の視聴装置への配信が終了していない場合には配信を続けてコンテンツ番組視聴を継続し（Ｓ７２０）、コンテンツ番組の視聴装置への配信が終了した場合には番組視聴を終了し（Ｓ７２１）、視聴装置３５から携帯情報端末１１に視聴番組終了を示す情報を送信する（Ｓ７２２）。【０１１６】  携帯情報端末１１では、コンテンツ番組視聴終了を受けて、視聴装置３５へのアカウント１０２ｆの送信を停止し（Ｓ７２３）、アカウント貸出しによる視聴装置でのコンテンツ視聴を終了させる。なお、携帯情報端末１１から視聴装置３５へのアカウント１０２ｆの送信停止のタイミングとしては、上述のコンテンツ番組視聴終了後でなくても、視聴装置３５で視聴を開始した後であれば、視聴終了までのどのタイミングでもあってもよいことは言うまでもない。この場合、コンテンツ番組の視聴開始後に、視聴装置３５から携帯情報端末１１に前記アカウント１０２ｆの送信停止を示す情報を送信することにより、携帯情報端末１１は、アカウントの発信を停止する（Ｓ７２３）。【０１１７】  以上のアカウントの送受信による放送コンテンツ視聴処理により、視聴装置では、携帯情報端末からのアカウントの受信確認を周期的に行い、アカウントを受信すると、アカウントに包含されているキー情報を用いて、放送側設備から放送された視聴希望の放送コンテンツ番組の暗号解除・復号化を行い、放送コンテンツ番組の視聴が最後まで可能となる（Ｓ７００ｂ）。【０１１８】  なお、上述の例では、コンテンツ番組を番組単位で貸出し視聴する場合であるが、コンテンツのチャンネル（放送局）単位で貸出し視聴する場合も、視聴終了処理を除き、貸出し視聴要求を「放送コンテンツ番組」単位から「コンテンツのチャンネル」単位に置き換えれば、同様の作用、効果が得られることは明白である。即ち、ステップＳ２０１では「コンテンツの番組単位」に変えて「コンテンツのチャンネル単位」に、ステップＳ７０７、Ｓ７０９、Ｓ７１５、Ｓ７１６、Ｓ７１７では「放送コンテンツ番組」に変えて「放送チャンネル」に置き換えればよい。【０１１９】  視聴終了処理については、上述の例は、コンテンツ番組の番組単位での貸出し視聴の場合であり、コンテンツ番組の終了により貸出し視聴の終了処理を行っているが、コンテンツのチャンネル（放送局）単位の貸出し視聴の場合には、個々の番組の終了にかかわらず貸出し視聴継続することができ、例えば、携帯情報端末１１が視聴装置３５から離れたことより、或いはユーザー入力操作により、貸出し視聴の終了処理を行えばよい。【０１２０】  而して、ユーザーは、ユーザーが保持している携帯情報端末を用いて簡単な操作を行うことにより、放送波からの貸出し視聴希望のコンテンツ番組或いは放送チャンネルを、どこに居ても、ユーザーの近くにある視聴装置で視聴できる。
【実施例４】
【０１２１】  更に、電波を用いて放送される有料契約等で登録済のコンテンツ番組を、携帯情報端末の近傍にある視聴装置で貸出し視聴する場合の他の実施例について説明する。【０１２２】  ここで、一般的に広く用いられている衛星放送では、地上デジタル放送の場合も含め、コンテンツ著作権保護や有料放送課金対応のため、放送コンテンツ番組を視聴する視聴装置や録画する録画装置などに、Ｂ−ＣＡＳ（登録商標）（BS CONDITIONL ACCESS SYSTEMS）カードを挿入して、Ｂ−ＣＡＳカードが装着されている装置だけで限定的に放送受信を可能にしている（Ｂ−ＣＡＳカード方式、或いは限定受信方式）。【０１２３】  有料放送のコンテンツ番組視聴の場合には、Ｂ−ＣＡＳカードの情報とユーザーの識別情報を紐づけて契約したユーザーだけが、Ｂ−ＣＡＳカードを装着した視聴装置で契約コンテンツ番組を視聴できるようにコントロールしている。Ｂ−ＣＡＳカードには、Ｂ−ＣＡＳカードを識別するＢ−ＣＡＳカードＩＤ、このカード固有のマスターキー及び放送波とともに送られてくるＥＭＭ（Entitlement Management Massage）情報（前記個別情報に相当）などが入っており、ＥＭＭ情報には契約加入ユーザーごとの契約情報（有料放送の種類や期限）やＥＣＭ（Entitlement Control Message）情報（前記共通情報に相当）の暗号化を解くためのワークキー（前記第１のキーに相当）などが含まれている。ＥＣＭ情報には、コンテンツ番組の暗号視聴を行うためのスクランブルキーなどが含まれている。【０１２４】  例えば、有料放送の特定コンテンツ番組Ａを契約すると、契約したユーザーのＢ−ＣＡＳカードＩＤ宛に、放送コンテンツ番組Ａに対応し暗号化されたワークキーを含むＥＭＭ情報が放送電波で届き、ＥＭＭ情報が書き換えられる。放送コンテンツ番組Ａのワークキーは、Ｂ−ＣＡＳカード固有のマスターキーを用いて暗号化解除が行われ取り出される。次に、取り出された放送コンテンツ番組Ａのワークキーを用いて、放送電波と共に配信されているＥＣＭ情報の暗号化を解除し、スクランブルキーを取り出す。更に取り出したスクランブルキーを用いて、放送電波で配信されている放送コンテンツ番組Ａの映像・音声の暗号化を解いて、放送コンテンツ番組Ａを視聴することができるように構成されている。【０１２５】  しかしながら、この場合、有料放送のコンテンツ番組視聴を契約したユーザーが、紐づけされたＢ−ＣＡＳカード装着の視聴装置以外の別の視聴装置で、契約した放送コンテンツ番組を視聴しようとすると、前記Ｂ−ＣＡＳカードを視聴希望の別の視聴装置まで持っていって装着する必要があり、有料契約をしているユーザーにとって、大変使い勝手が悪いという課題がある。【０１２６】  図８は、上記課題を解決する実施形態に係るコンテンツ視聴システムの実施例を示すブロック構成図である。図８において、図６に示した同一符号を付された各構成に加え、あるいは代えて、Ｂ-ＣＡＳカード８１０とＢ-ＣＡＳカードリーダ部８１１とを具備する視聴装置３７と、Ｂ-ＣＡＳカード８１２とＢ-ＣＡＳカードリーダ部８１３とを具備する視聴装置３８を有する。なお、図８において、図６の実施例と同一処理部分には同じ符号を付しており、それらの説明は省略する。【０１２７】  視聴装置３��と同様構成の視聴装置３７は、Ｂ-ＣＡＳカードリーダ部８１１により、視聴装置３７内に装着されたＢ-ＣＡＳカード８１０とデータの読出し／書込みを行う。視聴装置３５と同様構成の視聴装置３８は、Ｂ-ＣＡＳカードリーダ部８１３により、視聴装置３８内に装着されたＢ-ＣＡＳカード８１２とデータの読出し／書込みを行う。視聴装置３７は、ユーザーが有料契約等で特定のコンテンツ番組の視聴をユーザーとして登録済の視聴装置であり、Ｂ-ＣＡＳカード８１０内に、ユーザー識別情報と紐付けされているＢ-ＣＡＳカードＩＤ、及びＢ−ＣＡＳカード固有のマスターキーが記録されているとともに、放送側設備２１内にユーザー識別情報と紐付けされた形でＢ-ＣＡＳカードＩＤ、及びＢ−ＣＡＳカード固有のマスターキーが記録蓄積されている。【０１２８】  携帯情報端末１１から放送側設備２１にユーザー識別情報を送信する。放送側設備２１は、ユーザー認証を行い、認証結果に基づき、ユーザー識別情報と紐付けされた形でユーザー情報蓄積領域２０６に記録蓄積されているＢ-ＣＡＳカードＩＤ及びマスターキー２０６ｅをアカウントとして、携帯情報端末１１に送信する。携帯情報端末１１は、受信したアカウント１０２ｇを、近距離無線通信部１０５を介して、携帯情報端末１１の近傍にある視聴装置３８に送信する。視聴装置３８では、視聴装置３８に装着されたＢ-ＣＡＳカード８１２内に記録されているＢ-ＣＡＳカードＩＤ及びマスターキーに換えて、近距離無線通信部３０４を介して受信したアカウント３０２ｃに含まれるＢ-ＣＡＳカードＩＤ及びマスターキーを用いて、放送されているコンテンツ番組の暗号を解除・復号化する。【０１２９】  而して、有料放送のコンテンツ番組視聴を契約したユーザーは、携帯情報端末を用いて、ユーザーに紐づけされた視聴装置に装着のＢ-ＣＡＳカード内の情報を、別の視聴装置に貸出し送信することにより、ユーザーに紐付けされたＢ−ＣＡＳカードを視聴希望の別の視聴装置に装着することなく、使い勝手よく、視聴希望の別の視聴装置で契約したコンテンツ番組を視聴することができる。即ち、ユーザーは、ユーザーが保持している携帯情報端末を用いて、放送波からの貸出し視聴希望のコンテンツ番組を、どこに居ても、ユーザーの近くにある視聴装置で視聴できる。【０１３０】  次に、図８に示したコンテンツ視聴システムの動作例について説明する。【０１３１】  図９は、図８に示したコンテンツ配信システムの動作シーケンスの一例を示す図である。図９において、図２、図５、図７に示され同一の符号を付された各シーケンス部は、図２、図５、図７で既に説明した動作と同一の動作を有するので、それらの詳細説明は省略する。【０１３２】  図９Ａにおいて、処理Ｓ２０１〜処理Ｓ７０７までは、図７Ａに示して説明した動作シーケンスと同様である。認証結果を受信した携帯情報端末１１は、設定入力された視聴希望放送コンテンツ識別情報を送信するとともに、視聴装置Ａから視聴装置Ｂに放送コンテンツ番組の貸出し視聴を認証するアカウントの発行を要求する（Ｓ９０８）。【０１３３】  コンテンツ配信サーバ２０は、ユーザー認証結果に基づき、視聴装置３７内に装着されユーザー識別情報に紐付けされているＢ-ＣＡＳ���ード８１０のＢ−ＣＡＳカードＩＤ及びマスターキー２０６ｅをユーザー情報蓄積領域２０６から引き出し、引き出したＢ−ＣＡＳカードＩＤ、前記マスターキーを有するアカウントを発行保存し（Ｓ９０９）、携帯情報端末１１に送信する（Ｓ９１０）。【０１３４】  携帯情報端末１１は、受信した前記アカウントをメモリ部１０２内にアカウント１０２ｇとして保存する（Ｓ９１１ａ）。以上のアカウント生成処理により、ユーザー認証の上、ユーザーに紐付けされている視聴装置３７のＢ−ＣＡＳカードＩＤ、マスターキー、及び視聴希望放送コンテンツ識別情報をアカウントとして、携帯情報端末に保存できる（Ｓ９００ａ）。【０１３５】  次に、図９Ｂを参照すると、携帯情報端末１１を身近に保持しているユーザーが視聴希望の視聴装置３８に近づくなどし、更にユーザーが操作入力部１０６にて簡単なワンタッチ入力操作を行うことにより、携帯情報端末１１は、近距離無線通信部１０５にて近距離無線通信によるアカウント１０２ｇの発信を開始する（Ｓ９１１ｂ）。発信されたアカウント１０２ｇは、携帯情報端末１１の近傍に存在する視聴装置３８に送信される（Ｓ９１２）。【０１３６】  視聴装置３８は、携帯情報端末１１から近距離無線通信で送信されたアカウント１０２ｇが受信可能な近傍範囲内に存在しアカウント１０２ｇを受信できるか、或いはアカウント１０２ｇが受信可能な近傍範囲外にあってアカウント１０２ｇを受信できないか、という判別処理をある一定間隔で周期的に行う（Ｓ９１３）。【０１３７】  視聴装置３８でアカウント１０２ｇを受信できた場合には、視聴装置３８は、受信したアカウント１０２ｇをメモリ部３０２にアカウント３０２ｃとして記録保存し（Ｓ９１４）、アカウント３０２ｃとして保存されているマスターキーをとりだす（Ｓ９１５）。即ち、視聴装置３８に装着のＢ−ＣＡＳカード内のマスターキーに変えて、アカウント３０２ｃとして視聴装置３８に保存された視聴装置３７のマスターキーを用いて、視聴装置３８内の放送受信部３２０は、放送コンテンツ番組の暗号解除を行う。【０１３８】  コンテンツ番組の放送の際には、放送側設備２１は、放送コンテンツ番組、ＥＣＭ情報、及びＥＭＭ情報を暗号化して生成しており（Ｓ９１６）、契約登録済の視聴希望放送コンテンツ番組が放送衛星６０を介して放送されると、アカウント３０２ｃとして視聴装置３８に保存されたＢ−ＣＡＳカードＩＤ宛に、視聴希望のコンテンツ番組の暗号化されたワークキーを含むＥＭＭ情報が放送電波で届き、ＥＭＭ情報が書き換えられる（Ｓ９１７）。Ｂ−ＣＡＳカード固有のマスターキーを用いて、受信したＥＭＭ情報の暗号解除を行い、コンテンツ番組のワークキーを取り出す（Ｓ９１８）。【０１３９】  次に、ＥＣＭ情報が、放送電波と共に配信されており（Ｓ９１９）、前記ワークキーを用いて、ＥＣＭ情報の暗号化を解除し、スクランブルキーを取り出す（Ｓ９２０）。視聴希望の放送コンテンツ番組は暗号化されて視聴装置３８に向けて放送されており（Ｓ９２１）、取り出したスクランブルキーを用いて、視聴希望の放送コンテンツ番組の映像・音声の暗号解除・復号化を行う（Ｓ９２２）。よって、ユーザーは、図７での説明と同様、暗号���除し復号された放送コンテンツ番組の映像信号及び音声信号を表示部３０５、スピーカ３０９により視聴することができる（Ｓ７１８）。【０１４０】  また配信されるコンテンツ番組が終了したか否か判別し（Ｓ７１９）、コンテンツ番組の視聴装置への配信が終了していない場合には配信を続けてコンテンツ番組視聴を継続し（Ｓ７２０）、コンテンツ番組の視聴装置への配信が終了した場合には番組視聴を終了し（Ｓ７２１）、視聴装置３８から携帯情報端末１１に視聴番組終了を示す情報を送信する（Ｓ７２２）。携帯情報端末１１では、コンテンツ番組視聴終了を受けて、視聴装置３８へのアカウント１０２ｇの送信を停止し（Ｓ７２３）、アカウント貸出しによる視聴装置でのコンテンツ視聴を終了させる。【０１４１】  なお、携帯情報端末１１から視聴装置３８へのアカウント１０２ｇの送信停止のタイミングとしては、上述のコンテンツ番組視聴終了後でなくても、視聴装置３８で視聴を開始した後であれば、視聴終了までのどのタイミングでもあってもよいことは言うまでもない。この場合、コンテンツ番組の視聴開始後に、視聴装置３８から携帯情報端末１１に前記アカウント１０２ｇの送信停止を示す情報を送信することにより、携帯情報端末１１は、アカウントの発信を停止できる（Ｓ７２３）。【０１４２】  以上のアカウントの送受信による放送コンテンツ視聴処理により、携帯情報端末を用いてアカウントの送受信を行い、ユーザーが登録済の視聴装置３７内に装着のＢ−ＣＡＳカードの情報を視聴装置３８に貸出して、視聴装置３８にて放送コンテンツ番組を視聴できる（Ｓ９００ｂ）。【０１４３】  なお、図7での説明と同様、上述の例では、コンテンツ番組を番組単位で貸出し視聴する場合であるが、コンテンツのチャンネル（放送局）単位で貸出し視聴する場合も、視聴終了処理を除き、貸出し要求視聴を「コンテンツ番組」単位から「コンテンツのチャンネル」単位に置き換えれば、同様の作用、効果が得られることは明白である。また、コンテンツのチャンネル（放送局）単位の貸出し視聴の場合、個々の番組の終了にかかわらず貸出し視聴することができることより、貸出し視聴の終了処理は、例えば、携帯情報端末１１が視聴装置３８から離れたことより、或いはユーザー入力操作により、行えばよい。【０１４４】  而して、ユーザーは、ユーザーが保持している携帯情報端末を用いて簡単なワンタッチ操作にて、放送波からの貸出し視聴希望のコンテンツ番組或いは放送チャンネルを、Ｂ−ＣＡＳカードの移動装着を行うことなく、ユーザーの近くにある視聴装置で視聴できるという効果がある。【０１４５】  また、デジタル放送のコンテンツ権利保護を行う方式としては、上述の物理的なＢ−ＣＡＳカードを用いる方式以外に、Ｂ−ＣＡＳに依らずソフトウエア制御で行う方式（コンテンツ保護方式）も、テレビ視聴機能付のタブレットやスマートフォンなどの視聴装置で用いられている。コンテンツ保護方式の場合も、Ｂ−ＣＡＳカード方式の場合と同様、ＥＣＭ情報及びＥＭＭ情報の放送による送信、及びマスターキー、ワークキー、スクランブルキーというキーによるコンテンツ番組の暗号解除を基本として動作しており、図９に示した動作シーケンス例により、同様な動作、作用、効果を実現できることは言うまでもない。【０１４６】  なお、以上の実施例では、ユーザー保持の携帯情報端末が視聴装置に近づくことを近距離無線通信により検出認識しているが、携帯情報端末と視聴装置とにそれぞれＧＰＳ（Global Positioning System）受信部を具備し、各々のＧＰＳ受信部にて検出する各々の位置情報を用いて、両者の近接を検出認識してもよい。一例としては、携帯情報端末のＧＰＳ受信部で検出した位置情報を、近距離無線通信により視聴装置に送信し、視聴装置では受信した携帯情報端末の位置情報と視聴装置のＧＰＳ受信部で検出した位置情報とを照合し、携帯情報端末と視聴装置が近接した状態にあり、ユーザーが視聴装置でコンテンツ番組を視聴できる範囲内にあることを判別してもよい。【０１４７】  以上実施例で説明した技術を用いることにより、携帯情報端末を保持しているユーザーが近傍にある視聴装置で予め登録済のコンテンツ番組或いは放送チャンネルを貸出し視聴する際に、使い勝手の良い視聴環境が得られるコンテンツ配信システム、コンテンツ視聴システムを提供するものである。【０１４８】  また、以上のコンテンツ配信システムの実施例において、コンテンツ配信サーバからアカウントを受信した視聴装置へのコンテンツ番組の貸出し配信を、上述のリレー視聴の場合を含め、番組単位に、例えば、１番組のみに制限することにより、コンテンツ保護の有効性を一層高めることができる。【０１４９】  以上のコンテンツ視聴システムの実施例においては、放送波を受信する視聴装置への放送コンテンツ番組の貸出し視聴を、アカウントを受信した視聴装置だけに、かつ番組単位（１番組のみ）に制限することにより、コンテンツ保護の有効性を高めることができる。【０１５０】  更には、コンテンツ配信サーバや放送側設備において、アカウントの発行に際して、コンテンツ番組の配信や視聴に対する対価として、貸出しコンテンツ番組単位で課金対応処理を行うことにより、コンテンツ保護の実効性を高めることができる。【０１５１】  なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１５２】  また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。【０１５３】  また、制御線や情報線は説明上必要と考えられるものを示しており、製品��必ずしも全ての制御線や情報線を示しているとは限らない。実際には殆ど全ての構成が相互に接続されていると考えてもよい。
【産業上の利用可能性】
【０１５４】  ネットワークに接続された視聴装置にコンテンツを配信するコンテンツ配信システム、放送波を受信する視聴装置でコンテンツを視聴するコンテンツ視聴システムに利用することができる。
【符号の説明】
【０１５５】  １０、１１：携帯情報端末、２０：コンテンツ配信サーバ、２１：送信側設備、３０、３１、３２、３５、３７、３８：視聴装置、４０：基地局、５０：外部ネットワーク、６０：放送衛星、１００、２００、３００：バス、１０１、２０１、３０１：制御部、１０２、２０２、３０２：メモリ部、１０３：基地局通信部、１０４：音声入出力処理部、１０５：近距離無線通信部、１０６、３０７：操作入力部、１０７、３０５：表示部、２０３、３０６：通信部、２０４：ストレージ、２０５：コンテンツ情報蓄積領域、２０６：ユーザー情報蓄積領域、３０３：ストレージ部、３０９：スピーカ、２２０：撮像部、２２１：放送送信部、２２２：送信アンテナ、３２０：放送受信部、３２１：受信アンテナ、８１０、８１２：Ｂ-ＣＡＳカード、８１１、８１３：Ｂ-ＣＡＳカードリーダ部
【図１】
2018225209.tif 000003
【図２Ａ】
2018225209.tif 000004
【図２Ｂ】
2018225209.tif 000005
【図３】
2018225209.tif 000006
【図４】
2018225209.tif 000007
【図５】
2018225209.tif 000008
【図６】
2018225209.tif 000009
【図７Ａ】
2018225209.tif 000010
【図７Ｂ】
2018225209.tif 000011
【図８】
2018225209.tif 000012
【図９Ａ】
2018225209.tif 000013
【図９Ｂ】
2018225209.tif 000014
【国際調査報告】
2018225209.tif 000015
2018225209.tif 000016
2018225209.tif 000017
2018225209.tif 000018